(57)【要約】      （修正有）【課題】鍵を収納する保管庫等の防犯のために設置される防犯機器において、特に、側面からの不正な引き剥がしに対しての防犯性を向上させる。【解決手段】鍵を収納する保管庫等の防犯のために設置される防犯機器において、防犯機器１には、壁面２１等に設置されるベース２と、ベース２の正面に設置され、ベースに固定される上ケース４とが具備され、ベース２と上ケース４の間に、ベース２の内側に沿うように金属等の補強部材３が配置されている構成を採用した。また、補強部材３はベース２と共にスイッチボックス用カバー１５に共締めされており、ベース２に、補強部材３と上ケース４とを固定するための柱２ｂが配置されており、補強部材３と上ケース４とが柱２ｂにねじで共締めされている。さらに、補強部材３は柱２ｂの外側にまで配置されている。【選択図】図３
2007224631.tif 000002
【特許請求の範囲】
【請求項１】
鍵を収納する保管庫等の防犯のために設置される防犯機器において、
該防犯機器には、壁面等に設置されるベースと、該ベースの正面に設置され、該ベースに固定されるケースとが具備され、
前記ベースと前記ケースの間に、前記ベースの内側に沿うように金属等の補強部材が配置されている筐体を有することを特徴とする防犯機器。
【請求項２】
前記補強部材と前記ベースとが前記壁面等にねじ等で共締めされていることを特徴とする請求項１記載の防犯機器。
【請求項３】
前記ベースに、前記補強部材と前記ケースとを固定するための固定手段が配置されており、前記補強部材と前記ケースとが前記固定手段にねじ等で共締めされていることを特徴とする請求項１又は２記載の防犯機器。
【請求項４】
前記ベースに、前記補強部材と前記ケースとを固定するための固定手段が配置されており、前記補強部材が前記固定手段を覆うように配置されていることを特徴とする請求項１〜３のいずれかに記載の防犯機器。  
【発明の詳細な説明】
【技術分野】
【０００１】
本発明は、鍵を収納する保管庫等の防犯のために設置される防犯機器に関し、特に、不正な引き剥がしに対する防犯性を向上させることのできる防犯機器に関する。
【背景技術】
【０００２】
従来、鍵や貴重品を収納する保管庫等には様々な防犯機器が設けられている。その防犯機器の多くは、機器が破壊されたり、扉(カバー)が不正に開けられたりした場合に、検出スイッチが働いたり、他の機器との通信が出来なくなったりする事で異常を検出できる様になっている。
【０００３】
また、例えば、特許文献１に示されているように、保管庫の正面に扉を設け、その裏側にロック機構を配置し、正面からバーナーやハンマーで不正に解錠しようとした場合に備える方法もある。
【特許文献１】特開２００４−０１１３４４号公報
【発明の開示】
【発明が解決しようとする課題】
【０００４】
しかしながら、これらの方法は、機器正面からの不正行為に対する防犯性は高いものの、防犯機器の側面からドリルで穴を開けたり鉄パイプで殴ったりして不正な引き剥がしを行い、内部の配線に細工を施し、あたかも正常にセキュリティー解除を行った如くに装うという方法に対しては非力だった。また、鍵等が防犯機器内に収納されている場合には、側面からの不正な引き剥がしにより、そのまま持ち出されてしまうこともある。
【０００５】
本発明は、このような事情に鑑みてなされたもので、鍵を収納する保管庫等に設置される防犯機器において、特に、樹脂などの比較的破壊に弱い材質の筐体について、組み立て工程を複雑にせず、簡単な方法で、破壊・引き剥がしに対しての防犯性を向上させることを目的としている。
【課題を解決するための手段】
【０００６】
係る目的を達成すべく、本発明のうち請求項１に記載の発明は、鍵を収納する保管庫等の防犯のために設置される防犯機器において、該防犯機器には、壁面等に設置されるベースと、該ベースの正面に設置され、該ベースに固定されるケースとが具備され、前記ベースと前記ケースの間に、前記ベースの内側に沿うように金属等の補強部材が配置されている構成を採用した。
【０００７】
このように、ベースの内側に金属等の補強部材を配置することで、筐体が樹脂などの比較的破壊に弱い材質でできていても、簡単に不正な引き剥がしに対しての防犯性を向上させることができる。
【０００８】
また、請求項２に記載の発明のように、前記補強部材と前記ベースとが前記壁面等にねじ等で共締めされていることが好ましい。
【０００９】
共締めすることにより、補強部材を強固に壁面等に固定することができ、防犯性を向上させることができる。また、共締めすることにより組み立て工程を容易にできる。
【００１０】
また、請求項３に記載の発明のように、前記ベースに、前記補強部材と前記ケースとを固定するための固定手段が配置されており、前記補強部材と前記ケースとが前記固定手段にねじ等で共締めされていることが好ましい。
【００１１】
共締めすることにより、補強部材をさらに強固にベースに固定することができ、防犯性を向上させることができる。また、共締めすることにより組み立て工程を容易にできる。
【００１２】
さらに、請求項４に記載の発明のように、前記ベースに、前記補強部材と前記ケースとを固定するための固定手段が配置されており、前記補強部材が前記固定手段を覆うように配置されていることが好ましい。
【００１３】
補強部材を固定手段の外側にまで配置することにより、側面から固定手段を破壊する事が容易ではなくなり、防犯性を向上できる。
【発明の効果】
【００１４】
本発明に係る防犯機器は、樹脂などの比較的破壊に弱い材質の筐体について、組み立て工程を複雑にせず、簡単な方法で、破壊・引き剥がしに対しての防犯性を向上させることができる。
【発明を実施するための最良の形態】
【００１５】
以下、本発明の実施の形態を図面に基いて詳細に説明する。
図１は、本発明に係る防犯機器の設置例を示す図である。図１には、壁面２１に設置されたドア２２が示されている。ドア２２の側方には、本発明に係る防犯機器１と保管庫２０が壁面２１に並べて設置されている。この実施の形態では、保管庫２０に、ドア２２の鍵が収納されており、保管庫２０の扉は、防犯機器１によって厳重管理されている。
【００１６】
図２は、本発明に係る防犯機器と保管庫を示す図である。図２には、防犯機器１と保管庫２０が並べて設置されている様子が示されている。防犯機器１は、壁面２１に取り付けられるベース２と、ベース２にマウントされている上ケース４と、上ケース４にマウントされているカバー７とからなる。カバー７の上面には、カードを通してロックを解除するカードリーダー７ｅ等のセキュリティー手段が設けられている。
【００１７】
保管庫２０は、壁面２１に取り付けられ、鍵等を収納する箱状筐体のベース２３と、扉２４とからなる。カードリーダー７ｅで正確なカード情報が読み取られると、扉２４を開くことができる。
【００１８】
図３は、本発明に係る防犯機器の実施形態を示す断面図である。図４は、同機器のベースと補強部材の正面図である。なお、図３において、図の横方向を右から左にＸ軸とし、図の奥行き方向を奥から手前にＹ軸とし、図の縦方向を上から下にＺ軸とする。
【００１９】
図３の右側には、ＹＺ平面に延びる壁面２１が存在する。壁面２１には、Ｘ軸の負方向に向けて穴２１ａが空けられている。穴２１ａの内部には、一般的な建築物の工事に使用される断面Ｌ字型に加工されたスイッチボックス１３が固定されている。スイッチボックス１３の正面には、同じく一般的な建築物の工事に使用される断面Ｚ型に加工されたスイッチボックス用カバー１５が配置され、ねじ１４でスイッチボックス１３に固定されている。スイッチボックス用カバー１５の正面には、本発明に係る防犯機器１の筐体がマウントされている。スイッチボックス用カバー１５の防犯機器１の筐体と接する部分には、図示せぬねじ溝が４箇所設けられている（図４参照）。
【００２０】
防犯機器１の筐体は、壁面２１に接するように配置された樹脂製のベース２と、ベース２の内面に沿うように配置された金属製の補強部材３と、ベース２と補強部材３に固定される樹脂製の上ケース４と、上ケース４の内部に配置されるプリント基板５と、上ケース４に固定される樹脂製の下ケース６と、上ケース４を覆うように配置された樹脂製のカバー７等からなる。
【００２１】
ベース２は、ＹＺ平面に延びる板状をしており（図４参照）、端面２ａは、Ｘ軸の正方向に延びるように成型されている。ベース２の端面２ａの内側付近には、Ｘ軸の正方向に伸びる柱２ｂ等の固定手段が４箇所成型されている（図４参照）。柱２ｂの内部には図示せぬねじ溝が掘られている。また、ベース２のスイッチボックス用カバー１５のねじ溝に対応する部分には、ベース２をスイッチボックス用カバー１５に固定するため４箇所の孔が空けられている。さらに、ベース２の下方には、配線１６を壁面２１の方に通すための横長の孔２ｃが空けられている。
【００２２】
補強部材３は、ＹＺ平面に延びる板状をしており（図４参照）、その上下の段付部３ａは、Ｘ軸の正方向に延びるように加工されている。段付部３ａの先の段付部３ｂは、さらにＺ軸方向に上下に広がるように加工されている。段付部３ｂの先の折り返し部３ｃはさらにＸ軸の負方向に折り曲げて加工されており、柱２ｂを覆うような構造になっている。この折り返し部３ｃがあることで防犯機器１の側面からの攻撃から柱２ｂの損傷を防止することができる。このように、補強部材３を必要に応じて折り曲げ、外郭を破壊されても容易に内部に到達できないようにすれば、より防犯性を高めることができる。
【００２３】
補強部材３のベース２の孔に対応する部分には４箇所の図示せぬ孔が設けられている。この孔とベース２の孔には、ねじ９が通され、スイッチボックス用カバー１５のねじ溝にねじ込まれることで、補強部材３はベース２と共にスイッチボックス用カバー１５に共締めされる（図４参照）。このように、補強部材３をベース２と共締めすることにより、さらに破壊・引き剥がしに強くなる。
【００２４】
また、段付部３ｂの柱２ｂと接する部分には孔３ｅが設けられている（図４参照）。さらに、補強部材３の下方には、配線１６を壁面２１の方に通すための横長の孔３ｄが空けられている。
【００２５】
上ケース４は、ＹＺ平面に延びる板状をしており、その上下左右の段付部４ａは（上下のみ図示）、Ｘ軸の負方向に延びるように成型されている。段付部４ａの先の段付部４ｂは、さらにＹＺ軸方向に上下左右に広がるように成型されており、さらにその先の段付部４ｃはＸ軸の負方向に伸びるように成型されている。段付部４ａの内側付近には、Ｘ軸の負方向に伸びる柱４ｄが数箇所成型されている。柱４ｄの内部には図示せぬねじ溝が掘られている。
【００２６】
段付部４ｂの柱２ｂのＸ軸の延長上には、図示せぬ孔が設けられており、この孔と孔３ｅとにねじ１０が通され、柱２ｂの内部の図示せぬねじ溝にねじ込まれることで、上ケース４は補強部材３と共にベース２の柱２ｂに共締めされる。このように、補強部材３を上ケース４と共締めすることにより、さらに破壊・引き剥がしに強くなる。
【００２７】
上ケース４の内部には、ＹＺ平面に延びる板状のプリント基板５が配置されている。プリント基板５の柱４ｄに対応する部分には、図示せぬ孔が設けられており、その孔に柱４ｄが嵌合されて、プリント基板５が固定されている。プリント基板５の左側面には、検出スイッチ５ａ等の防犯機能を実現する電子機器が配置されている。プリント基板５の裏面から壁面２１の方には、配線１６が這わされている。
【００２８】
柱４ｄの先には、ＹＺ平面に延びる板状の下ケース６が配置されている。下ケース６の端面付近の柱４ｄのＸ軸の負方向の延長上には、図示せぬ孔が設けられており、この孔にねじ１１が通され、柱４ｄの内部の図示せぬねじ溝にねじ込まれることで、下ケース６は上ケース４の柱４ｄに固定される。下ケース６の上方には、孔６ａが空けられており、配線１６が通されている。
【００２９】
段付部４ｂの外側付近には、Ｘ軸の正方向に伸びる柱４ｅが数箇所成型されている。柱４ｅの内部には図示せぬねじ溝が掘られている。また、上ケース４の下方には、検出スイッチ５ａの検出棒７ｄを通すための孔４ｆが空けられている。
【００３０】
カバー７は、ＹＺ平面に延びる板状をしており、その上下左右の段付部７ａ（上下のみ図示）は、Ｘ軸の負方向に延びるように成型されている。段付部７ａの先の段付部７ｂは、さらにＹＺ軸方向に上下左右に広がるように成型されており、さらにその先の段付部７ｃはＸ軸の負方向に伸びるように成型されている。また、段付部７ｂの柱４ｅのＸ軸の正方向の延長上には、図示せぬ孔が設けられており、この孔にねじ１２が通され、柱４ｅの内部の図示せぬねじ溝にねじ込まれることで、カバー７は上ケース４の柱４ｅに固定される。
【００３１】
カバー７の内側の下方には、不正にカバーを開けられた時に検出スイッチ５ａを起動させるための検出棒７ｄがＸ軸の負方向に向けて突設されている。図の状態では、検出棒７ｄが検出スイッチ５ａを押しており、カバー７が不正な手段で開けられると、検出棒７ｄが検出スイッチ５ａから離れ、警報が鳴る等の防犯対策が施されている。
【００３２】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３３】
本発明に係る防犯機器は、鍵を収納する保管庫等の防犯のために設置される防犯機器に適用できる。
【図面の簡単な説明】
【００３４】
【図１】本発明に係る防犯機器の設置例を示す図である。
【図２】本発明に係る防犯機器と保管庫を示す図である。
【図３】本発明に係る防犯機器の実施形態を示す断面図である。
【図４】同機器のベースと補強部材の正面図である。
【符号の説明】
【００３５】
１・・・防犯機器
２・・・ベース
２ｂ・・柱
３・・・補強部材
４・・・上ケース
５・・・プリント基板
６・・・下ケース
７・・・カバー
１６・・配線
２１・・壁面
【図１】
2007224631.tif 000003
【図２】
2007224631.tif 000004
【図３】
2007224631.tif 000005
【図４】
2007224631.tif 000006